(57)【特許請求の範囲】
【請求項１】
コンテンツにＩＰヘッダを付してＩＰパケット化するＩＰパケット化手段と、
前記ＩＰパケット化手段によりＩＰパケット化された前記コンテンツを通信網に送出する通信網送出手段と、
前記ＩＰパケット化手段によってＩＰパケット化された前記コンテンツをデジタル放送の放送網から送出するための所定の伝送パケットにカプセル化するカプセル化手段と、
前記カプセル化手段によりカプセル化された伝送パケットを放送網に送出する放送網送出手段とを備え、
前記通信網送出手段および前記放送網送出手段は、それぞれＩＰマルチキャストにより複数の前記コンテンツを送出し、
前記ＩＰパケット化手段は、ＩＰパケット化する前記コンテンツのヘッダに、前記コンテンツの受信側ノードの条件に関する情報を付与することを特徴とするコンテンツ送出装置。
【請求項２】
前記受信側ノードの条件に関する情報として、受信側の現在位置や受信者属性または受信者の嗜好を含むことを特徴とする請求項１に記載のコンテンツ送出装置。
【請求項３】
コンテンツのＩＰパケットがカプセル化された伝送パケットを放送網から受信する放送網受信手段と、
コンテンツのＩＰパケットを通信網から受信する通信網受信手段と、
前記放送網受信手段を介して受信した前記伝送パケットのカプセル化を解除してコンテンツのＩＰパケットを抽出するカプセル化解除手段と、
前記ＩＰパケットのヘッダに付与されている前記コンテンツの受信側ノードの条件の情報を抽出する抽出手段と、
前記抽出手段によって抽出された受信側ノードの条件の情報が、あらかじめ設定されている条件に一致する前記ＩＰパケットを選択して受信するよう制御する選択手段と、
を備えることを特徴とするコンテンツ受信装置。
【請求項４】
コンテンツにＩＰヘッダを付してＩＰパケット化するＩＰパケット化工程と、
前記ＩＰパケット化工程によりＩＰパケット化された前記コンテンツを通信網に送出する通信網送出工程と、
前記ＩＰパケット化工程によってＩＰパケット化された前記コンテンツをデジタル放送の放送網から送出するための所定の伝送パケットにカプセル化するカプセル化工程と、
前記カプセル化工程によりカプセル化された伝送パケットを前記放送網に送出する放送網送出工程とを含み、
前記通信網送出工程および前記放送網送出工程は、それぞれＩＰマルチキャストにより複数の前記コンテンツを送出し、
前記ＩＰパケット化工程は、ＩＰパケット化する前記コンテンツのヘッダに、前記コンテンツの受信側ノードの条件に関する情報を付与することを特徴とするコンテンツ送出方法。
【請求項５】
コンテンツのＩＰパケットがカプセル化された伝送パケットを放送網から受信する放送網受信工程と、
コンテンツのＩＰパケットを通信網から受信する通信網受信工程と、
前記放送網受信工程により受信した前記伝送パケットのカプセル化を解除してコンテンツのＩＰパケットを抽出するカプセル化解除工程と、
前記ＩＰパケットのヘッダに付与されている前記コンテンツの受信側ノードの条件の情報を抽出する抽出工程と、
前記抽出工程によって抽出された受信側ノードの条件の情報が、あらかじめ設定されている条件に一致する前記ＩＰパケットを選択して受信するよう制御する選択工程と、
を含むことを特徴とするコンテンツ受信方法。
【発明の詳細な説明】
【技術分野】
【０００１】
この発明は、コンテンツごとに受信者を限定して伝送することのできるコンテンツ伝送装置に関し、特に、通信網と放送網のいずれからも共通なコンテンツをユーザに伝送できるコンテンツ送出装置、コンテンツ受信装置、コンテンツ送出方法およびコンテンツ受信方法に関する。
【背景技術】
【０００２】
従来、地上波放送等の放送網を介して放送される放送番組はデジタル放送等のデジタル化が進むと共に、インターネット等においても大容量で高速な通信網の特性を活かした放送コンテンツの配信が活発になってきている。【０００３】
近年のデジタル放送においては、データの送受信を送出側と受信側との間で双方向通信が可能な構成となっている。この技術は、インターネットを介してデータの送受信を行うことができるものであり、デジタル放送を受信したデジタル放送受信装置は、該当する放送コンテンツにかかわる双方向ｗｅｂサーバの情報を得て、インターネット等を介してｗｅｂサーバとの間で通信を行う（例えば、下記特許文献１参照。）。【０００４】
【特許文献１】特開２００３−７８８３０号公報
【発明の開示】
【発明が解決しようとする課題】
【０００５】
しかしながら、上記の従来技術は、放送コンテンツの送出側では放送コンテンツ自体を放送網あるいは通信網ごとに異なる各種伝送媒体に適した形式に変更する必要があり、そのままの状態では各種伝送媒体を介して放送コンテンツをユーザに伝送することができなかった。【０００６】
現状では、放送網を介して放送する放送番組と、インターネット等の通信網を介して配信する放送コンテンツは、それぞれ独立して制作されることが多く、番組内容がそれぞれの伝送媒体ごとに限定されており、放送網と通信網とにおいて共通の放送コンテンツを送出することができないという問題があった。さらに、通信網を介して配信されたコンテンツを再生するコンピュータ装置等の機器と、放送網を介して受信したコンテンツを再生する機器とは互いに異なる機器が必要であった。【０００７】
また、視聴者にとっては、視聴者が無意識に自分の好みや環境状況に合った番組を視聴できず、かならず、チャンネル切替等の操作が必要であった。また、受信中に移動して、周囲状況が変わった場合例えば、ドライブ中に山沿いから海沿いに移動位置が変化するなどして雰囲気に合わせた番組や音楽を変更したい場合、受信者が自らチャンネルを選択する必要があった。【０００８】
また、放送局にとっては、視聴者層を意識して番組を送信したい場合、番組編成により放送時間を調整することや、サブチャンネルを利用するなどして、視聴者層のニーズに応えるようにしていた。視聴者の動的に変化する環境や状況に合わせて自動的に番組を配信することは難しいという問題があった。【０００９】
この発明は、上述した従来技術による問題点を解消するため、放送網と通信網のいずれも制約なく受信側の条件に適合したコンテンツを伝送できるコンテンツ送出装置、コンテンツ受信装置、コンテンツ送出方法およびコンテンツ受信方法を提供することを目的とする。
【課題を解決するための手段】
【００１０】
上述した課題を解決し、目的を達成するため、請求項１の発明にかかるコンテンツ送出装置は、コンテンツにＩＰヘッダを付してＩＰパケット化するＩＰパケット化手段と、前記ＩＰパケット化手段によりＩＰパケット化された前記コンテンツを通信網に送出する通信網送出手段と、前記ＩＰパケット化手段によってＩＰパケット化された前記コンテンツをデジタル放送の放送網から送出するための所定の伝送パケットにカプセル化するカプセル化手段と、前記カプセル化手段によりカプセル化された伝送パケットを放送網に送出する放送網送出手段とを備え、前記通信網送出手段および前記放送網送出手段は、それぞれＩＰマルチキャストにより複数の前記コンテンツを送出し、前記ＩＰパケット化手段は、ＩＰパケット化する前記コンテンツのヘッダに、前記コンテンツの受信側ノードの条件に関する情報を付与することを特徴とする。【００１１】
また、請求項２の発明にかかるコンテンツ送出装置は、請求項１に記載の発明において、前記受信側ノードの条件に関する情報として、受信側の現在位置や受信者属性または受信者の嗜好を含むことを特徴とする。【００１２】
また、請求項３の発明にかかるコンテンツ受信装置は、コンテンツのＩＰパケットがカプセル化された伝送パケットを放送網から受信する放送網受信手段と、コンテンツのＩＰパケットを通信網から受信する通信網受信手段と、前記放送網受信手段を介して受信した前記伝送パケットのカプセル化を解除してコンテンツのＩＰパケットを抽出するカプセル化解除手段と、前記ＩＰパケットのヘッダに付与されている前記コンテンツの受信側ノードの条件の情報を抽出する抽出手段と、前記抽出手段によって抽出された受信側ノードの条件の情報が、あらかじめ設定されている条件に一致する前記ＩＰパケットを選択して受信するよう制御する選択手段と、を備えることを特徴とする。【００１３】
また、請求項４の発明にかかるコンテンツ送出方法は、コンテンツにＩＰヘッダを付してＩＰパケット化するＩＰパケット化工程と、前記ＩＰパケット化工程によりＩＰパケット化された前記コンテンツを通信網に送出する通信網送出工程と、前記ＩＰパケット化工程によってＩＰパケット化された前記コンテンツをデジタル放送の放送網から送出するための所定の伝送パケットにカプセル化するカプセル化工程と、前記カプセル化工程によりカプセル化された伝送パケットを前記放送網に送出する放送網送出工程とを含み、前記通信網送出工程および前記放送網送出工程は、それぞれＩＰマルチキャストにより複数の前記コンテンツを送出し、前記ＩＰパケット化工程は、ＩＰパケット化する前記コンテンツのヘッダに、前記コンテンツの受信側ノードの条件に関する情報を付与することを特徴とする。【００１４】
また、請求項５の発明にかかるコンテンツ受信方法は、コンテンツのＩＰパケットがカプセル化された伝送パケットを放送網から受信する放送網受信工程と、コンテンツのＩＰパケットを通信網から受信する通信網受信工程と、前記放送網受信工程により受信した前記伝送パケットのカプセル化を解除してコンテンツのＩＰパケットを抽出するカプセル化解除工程と、前記ＩＰパケットのヘッダに付与されている前記コンテンツの受信側ノードの条件の情報を抽出する抽出工程と、前記抽出工程によって抽出された受信側ノードの条件の情報が、あらかじめ設定されている条件に一致する前記ＩＰパケットを選択して受信するよう制御する選択工程と、を含むことを特徴とする。
【発明の効果】
【００１５】
本発明にかかるコンテンツ送出装置、コンテンツ受信装置、コンテンツ送出方法およびコンテンツ受信方法によれば、受信側では、チャンネル選択を行うことなく、自動的に最も視聴したいコンテンツを視聴することができるとともに、送出側では、受信側の属性や視聴環境別にそれぞれ適したコンテンツを送出することができるという効果を奏する。
【図面の簡単な説明】
【００１６】
【図１】図１は、本発明にかかるコンテンツ送出装置と、コンテンツ受信装置の構成の一例を示す説明図である。
【図２】図２は、コンテンツ送出部の構成を示すブロック図である。
【図３−１】図３−１は、パケットの構成の一例を示す説明図である。
【図３−２】図３−２は、パケットの概要を示す説明図である。
【図３−３】図３−３は、受信推奨者情報の一例を示す説明図である。
【図４】図４は、コンテンツ送出装置のコンテンツ送出動作を示すフローチャートである。
【図５】図５は、コンテンツ受信装置の構成を示すブロック図である。
【図６】図６は、コンテンツ受信装置のコンテンツ受信動作を示すフローチャートである。
【符号の説明】
【００１７】
１０１  通信網
１０２  放送網
１１０  コンテンツ送出装置
１１１  コンテンツ送出部
１１２  カプセル化部
１２０  コンテンツ受信装置
２０１  コンテンツ作成部
２０２  ヘッダ情報付与部
２０３  送出部
５００  パケット判断部
５０１  パケット受信部
５０２  比較情報入力部
５０３  受信推奨者情報比較部
５０４  パケット組立部
５０５  コンテンツ再生部
【発明を実施するための最良の形態】
【００１８】
以下に添付図面を参照して、この発明にかかるコンテンツ送出装置、コンテンツ受信装置、コンテンツ送出方法およびコンテンツ受信方法の好適な実施の形態を詳細に説明する。【００１９】
（実施の形態）
図１は、本発明にかかるコンテンツ送出装置と、コンテンツ受信装置の構成の一例を示す説明図である。図１に示すコンテンツ伝送システム１００は、コンテンツ送出装置１１０からコンテンツを送出する放送局側と、コンテンツ受信装置１２０によってコンテンツを受信するユーザ側とから構成される。【００２０】
コンテンツ送出装置１１０において、コンテンツ送出部１１１からは、パケット化されたコンテンツが送出される。ここで、コンテンツとしては、例えば、放送番組や、ＤＶＤ等の記録媒体に格納されている再生情報等がある。これらは、カメラ、マイクからの情報ＴＶ等の映像信号と音声信号の組み合わせに限らず、静止画や動画の映像信号のみで構成したり、音声信号だけで構成したり、データだけで構成することもできる。【００２１】
従来技術で説明したように、通信網１０１と、放送網１０２とではそれぞれ独立したコンテンツ送出装置１１０が必要であった。しかし、実施の形態では、通信網１０１を用いてコンテンツを、ユーザ側のコンテンツ受信装置１２０へ送出する場合は、コンテンツ送出部１１１から送出されたパケット化されたコンテンツを、パケット１０１ａの状態で通信網１０１へ送出する。パケット１０１ａは、コンテンツが格納されたペイロード部１００ａと、パケットの規格情報やアドレスが格納されたヘッダ部１００ｂとから構成される。コンテンツ送出部１１１から送出されたコンテンツは、全てパケット１０１ａの状態である。【００２２】
また、放送網１０２を用いてコンテンツを、ユーザ側のコンテンツ受信装置１２０へ送出する場合は、コンテンツ送出部１１１から送出されたパケット化されたコンテンツを、カプセル化部１１２へ入力する。カプセル化部１１２に入力されたコンテンツつまりパケット１０１ａは、カプセル化が施され、パケット１０２ａの状態で放送網１０２へ送出される。パケット１０２ａは、ペイロード部１０５ａにコンテンツをパケット化したパケット１０１ａ（ペイロード部１００ａと、ヘッダ部１００ｂからなる）が格納され、ヘッダ部１０５ｂとで、パケット１０２ａを構成している。【００２３】
受信を行う各ユーザのコンテンツ受信装置１２０は、通信網１０１から受信を行う通信網受信端末１２１の場合はパケット１０１ａを受信し、その内容からコンテンツを組み立てて再生する。また、放送網１０２からコンテンツを受信する放送網受信端末１２２の場合はパケット１０２ａを受信し、まずカプセル化の解除を行った後、パケット１０１ａの内容からコンテンツを組み立てて再生する。【００２４】
例えば、ＭＰＥＧ２−ＴＳの伝送形式の場合、このＭＰＥＧ２−ＴＳのペイロード（ペイロード部１０５ａ部分）にＩＰパケット（ペイロード部１００ａおよびヘッダ部１００ｂ）を挿入し、ＭＰＥＧ２−ＴＳのヘッダ（ヘッダ部１０５ｂ）を付与して放送網１０２からユーザ側のコンテンツ受信装置１２０の放送網受信端末１２２に伝送する。放送網受信端末１２２は、このＭＰＥＧ２−ＴＳの伝送パケット（パケット１０２ａ）からＩＰパケット（ペイロード部１００ａ）を抽出した後、受信したコンテンツを再生する。【００２５】
上記の構成によれば、従来、放送網１０２において用いていた放送用のサービス再生機、例えば、放送用再生機器や放送用中継機器（具体的にはテープデッキやデジタルプレイヤー等）を不要にできる。【００２６】
また、上述したコンテンツ受信装置１２０は、通信網受信端末１２１、あるいは放送網受信端末１２２のいずれか一方に対応した装置であってもよいし、これら通信網受信端末１２１および放送網受信端末１２２のいずれの受信機能を有する装置であってもよい。【００２７】
図２は、コンテンツ送出部の構成を示すブロック図である。コンテンツ送出部１１１は、コンテンツ作成部２０１と、ヘッダ情報付与部２０２と、送出部２０３と、から構成される。【００２８】
コンテンツ作成部２０１は、コンテンツ送出装置１１０から各ユーザのコンテンツ受信装置１２０へ送出するコンテンツを複数作成する。また、外部から作成済みのコンテンツを順次、複数入力することもできる。このコンテンツ作成部２０１によって作成される複数のコンテンツは、例えば、受信者の受信位置（現在位置）や、受信者属性、または受信者の嗜好別にそれぞれ準備される。【００２９】
ヘッダ情報付与部２０２は、コンテンツ作成部２０１によって作成されたコンテンツのパケットに基本ヘッダと拡張ヘッダの情報を付与する。コンテンツのパケットの概要と拡張ヘッダ情報については後で詳しく述べる。送出部２０３は、ヘッダ情報付与部２０２によって基本ヘッダ情報および拡張ヘッダ情報が付与されたコンテンツをユーザのコンテンツ受信装置１２０へ送出する。【００３０】
図３−１は、パケットの構成の一例を示す説明図である。図３−１に示したパケットモデル３１０は、本発明にかかるコンテンツ送受信方法の一例である。実施の形態において、カプセル化部１１２によって放送網１０２へ送出されるときのコンテンツの状態を表している。ＩＰパケットＰ２は、コンテンツと、ＩＰ基本ヘッダＨ２と、拡張ヘッダＨ３から構成される。さらに、このＩＰパケットＰ２をペイロードとして、ＭＰＥＧ２−ＴＳヘッダＨ１を付けることでカプセル化を施し、ＭＰＥＧ２−ＴＳパケットＰ１として放送網１０２へ伝送する。【００３１】
したがって、図２のコンテンツ送出部１１１から出力されるＩＰパケットは、ＩＰパケットＰ２の状態であり、ヘッダ情報付与部２０２では、ＩＰ基本ヘッダＨ２の部分と拡張ヘッダＨ３の部分にそれぞれ情報が付与される。つぎに、図３−２を用いて、ＩＰパケットＰ２の詳細な説明を行う。【００３２】
図３−２は、パケットの概要を示す説明図である。図表３２０は、実施の形態で用いるＩＰｖ６のパケットの概要を示している。ＩＰｖ６のパケットは、ＩＰ基本ヘッダＨ２と拡張ヘッダＨ３（複数備えることもできる）と、ペイロードＰから構成される。さらに、拡張ヘッダＨ３に付与される情報の具体例を以下、図３−３を用いて説明する。【００３３】
図３−３は、受信推奨者情報の一例を示す説明図である。図３−３に示した図表３３０は、コンテンツごとの拡張ヘッダＨ３に付与される受信推奨者情報の一例である。図示した例では、受信推奨者情報として、性別と、年代と、位置情報を用いている。【００３４】
図４は、コンテンツ送出装置のコンテンツ送出動作を示すフローチャートである。まず、コンテンツ作成部２０１において、複数のコンテンツを用意する（ステップＳ４０１）。この複数のコンテンツとは、受信者グループを意識した複数の番組やＣＭのことである。例えば、受信者グループを地域ごとに分ける場合は、地域性の高い内容のコンテンツを地方ごとに作成してもよいし、受信者グループを年代ごとに分ける場合は、世代的な受信者の嗜好を反映させた内容のコンテンツを作成してもよい。【００３５】
つぎに、ヘッダ情報付与部２０２において各コンテンツのＩＰ基本ヘッダＨ２（図３−１、図３−２参照）にＩＰマルチキャストの基本ヘッダを付与し、拡張ヘッダＨ３（図３−１〜図３−３参照）に推奨受信者情報を付与する（ステップＳ４０２）。最後に、送出部２０３から複数のコンテンツをＩＰマルチキャスト方式で送出し（ステップＳ４０３）、コンテンツ送出動作は終了する。【００３６】
図５は、コンテンツ受信装置の構成を示すブロック図である。コンテンツ受信装置１２０は、パケット判断部５００と、パケット受信部５０１と、パケット組立部５０４と、コンテンツ再生部５０５と、から構成される。また、パケット判断部５００は、比較情報入力部５０２と、受信推奨者情報比較部５０３とからなる。【００３７】
パケット受信部５０１は、コンテンツ送出装置１１０から送出されたパケットを受信し、受信したパケットを受信推奨者情報比較部５０３へ入力する。比較情報入力部５０２には、ユーザから入力された利用者属性情報や、ＧＰＳ信号から算出されたコンテンツ受信装置１２０の位置情報等の自装置の受信者情報が比較情報として入力されている。入力された比較情報は、受信推奨者情報比較部５０３へ出力される。【００３８】
受信推奨者情報比較部５０３は、パケット受信部５０１から入力されたパケットの拡張ヘッダＨ３に付与された受信推奨者情報と、比較情報入力部５０２から入力された比較情報として受信者情報とを比較して、受信したパケットが自装置のユーザに適しているかを判断する。適していると判断した場合は、受信したパケットをパケット組立部５０４へ出力する。また、適していないと判断した場合は、受信したパケットを廃棄する。【００３９】
パケット組立部５０４は、自装置のユーザに適していると判断されたパケットが入力される。そして、受信条件に合致するパケットは、バッファに貯められ、パケットのペイロード部が適切につなぎ合わせられる。コンテンツ再生部５０５は、パケット組立部５０４によって組み立てられたパケットをコンテンツとして再生する。【００４０】
図６は、コンテンツ受信装置のコンテンツ受信動作を示すフローチャートである。受信したパケットの拡張ヘッダＨ３の推奨受信者情報と、自装置の受信者情報とを比較する（ステップＳ６０１）。つぎに、ステップＳ６０１で行った比較の結果、受信したパケットが自装置のユーザに適したパケットであるか否かの判断を行う（ステップＳ６０２）。【００４１】
受信したパケットが自装置のユーザに適したパケットではないと判断した場合（ステップＳ６０２：Ｎｏ）、受信したパケットを廃棄し（ステップＳ６０３）、ステップＳ６０１に戻り、再度受信したパケットについての処理を開始する。受信したパケットが自装置のユーザに適したパケットであると判断した場合（ステップＳ６０２：Ｙｅｓ）、つぎに、受信したパケットを組み立ててコンテンツを再生する（ステップＳ６０４）。このように受信したパケットを判断してコンテンツの受信が判断されることになる。【００４２】
最後に、自装置（コンテンツ受信装置１２０）が移動したか否かの判断を行う（ステップＳ６０５）。自装置（コンテンツ受信装置１２０）が移動していなければ（ステップＳ６０５：Ｎｏ）、比較情報入力部５０２から入力される位置情報等の変化がないことから、ユーザは、引き続き同じ受信推奨者情報から選択されたコンテンツの受信再生を行い、視聴することでコンテンツ受信装置のコンテンツ受信動作は終了する。【００４３】
一方、自装置（コンテンツ受信装置１２０）が移動した場合（ステップＳ６０５：Ｙｅｓ）、比較情報入力部５０２から入力される位置情報等が変化することから、ステップＳ６０１に戻り、再度パケットの受信を行い、ユーザに適したパケットであるかの判断を行い、判定結果に応じた処理を行う。【００４４】
以上説明した実施の形態は、ＩＰマルチキャスト方式を利用することで、同一の放送局のコンテンツ送出装置から同時に複数のコンテンツを送出することができる。また、ＩＰパケットの拡張ヘッダを利用して受信推奨者情報を送出することで、ユーザは、最も適したコンテンツを自動的に受信することができる。さらに、拡張ヘッダＨ３の受信条件（推奨者受信情報）を変化させて送信することによって、コンテンツ受信装置１２０側においてパケットの受信を動的に変化させることができる。【００４５】
以上説明したように、本発明にかかるコンテンツ送出装置、コンテンツ受信装置、コンテンツ送出方法およびコンテンツ受信方法を用いることで、コンテンツ受信装置が存在しているエリアであれば、そのエリアに適した番組を自動的に指定することができる。例えば、被災地に向けての災害放送などで、被災地区毎の詳細な情報を送出することで、ユーザは、効果的な情報を受信することができる。【００４６】
また、放送局は視聴者の嗜好等に合わせた複数の番組を提供することができる。例えば、番組のコマーシャルを送出する際に同一スポンサーであっても、視聴者層によって異なった商品のコマーシャルを提供でき、効果的なターゲットマーケティングが実現できる。【００４７】
なお、本実施の形態で説明したコンテンツ送出方法およびコンテンツ受信方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００４８】
以上のように、本発明にかかるコンテンツ送出装置、コンテンツ受信装置、コンテンツ送出方法およびコンテンツ受信方法は、放送番組を多数の端末装置に同時配送する放送網および通信網に有用であり、特に、衛星デジタル放送や、地上波デジタル放送等の放送網、およびインターネット等の通信網を解して放送コンテンツを送出側の装置および受信側の端末機器に適している。
【図１】
0004695146.tif 000002
【図２】
0004695146.tif 000003
【図３−１】
0004695146.tif 000004
【図３−２】
0004695146.tif 000005
【図３−３】
0004695146.tif 000006
【図４】
0004695146.tif 000007
【図５】
0004695146.tif 000008
【図６】
0004695146.tif 000009